(57)【要約】      （修正有）【課題】伝統的立華式仏華を活ける際に必要な役枝を簡単に決める為の補助具であって、経験の浅い方でも楽しく美しく格調高く短時間に立華式仏華を活けることを可能にした立華芯固定器具を提供する。【解決手段】立華芯を花瓶内部に固定することを可能にした立華芯固定器具であって、立華芯固定器具はポリ塩化ビニルからなる長さ１５センチから２０センチの断面Ｃ型形状を有し、一対の前記立華芯固定器具を花瓶内に挿入し、立華芯の下端に形成された十字の羽根板の付いた立華芯固定金具を一対の立華芯固定器具の内部に挿入し、花瓶と立華芯固定器具を締め付けることで立華芯を花瓶内部に固定することを可能にしたことを特徴とする。【選択図】図１０
0003194608.tif 000002
【実用新案登録請求の範囲】
【請求項１】
筒状のエンビ管約長さ１５センチから２０センチに縦に二箇所切込を入れることによりアルファベットのC型の立華芯固定器具を作成し此れを花瓶内に挿入し、既に実用新案取得済みの十字の羽根板の突いた立華芯固定金具をC型のエンビ管内部に入れ花瓶とエンビ管との隙間に楔を差し込む事によって塩ビ管は内部へと縮小し十字の形状をした芯固定金具を締め付ける事で立華芯を瞬時に花瓶内部に固定することを可能にした立華芯固定器具。  
【請求項２】
既に実用新案取得済みの受け筒に剣山の付いた活け筒を装着し、受け筒をフラットバーで芯に固定した物に更にその活け筒の口の部分にステンレス製の亀の甲型の金網を丸く整形して装着する事で花材を無理に剣山に差すことなく角度や方向を自在に活けることを可能にした立華補助具。
【請求項３】
立華芯の頂点に垂直に直径4ミリから６ミリ深さ約3センチ程度の穴を開けそこに穴と同寸法の金属棒長さ約6センチを打ち込み、その芯の上に約３センチ突き出た部分に金属棒と同寸法の穴を開けた真を装着させる事で桧葉や高野槙、若松と言った各種の立華真を手軽に交換できる立華補助具。
【考案の詳細な説明】
【技術分野】
【０００１】
本考案は、伝統的立華式仏華を活ける際に必要な役枝を簡単に決める為の補助具である。
【背景技術】
【０００２】
伝統的立華式仏華ではたてはなとも呼び広い会場に大きく花を活ける際には芯を花瓶に固定し芯の各所に活け筒を装着する事で長さ７０センチから1メートル程度の花材を使って１５０センチから2メーター近い花を活けて来たが、芯の固定方法並びに活け筒には改良が進んで居なかったためにたてはなの出来る人の割合が極めて少なくなってしまい活け花人口の減少という悪循環を引き起こしている
【考案の概要】
【考案が解決しようとする課題】
【０００３】
伝統的立華式仏華では芯と言われる木製又はアルミ製の棒を込藁と言われる藁又はストローを束ねた物を花瓶内に挿入し、そこに芯棒を差し込んで居たが芯をしっかり固定しようとすれば藁がきつくなってしまい逆に活けやすい込み藁の締まり具合にしようとすれば芯が不安定になってしまうという矛盾が起こり困りものであった事と役枝と言われる活ける約束事を守るには固い木製の枝を芯の上部に固定した活け筒に差して固定することも困難さの一つになり、更に真と言われる立華式仏華の頂点に付ける枝には高野槙や若松、黄金桧葉と言った物を差すのだが近年活け花人口の減少という悪循環から上質の真が入手困難となり真だけは人工樹を使用する方が増えてきていると言う大きく三つの課題を持って居た。
【課題を解決するための手段】
【０００４】
理想的立華芯固定方法は素早く花瓶に固定できてしかも込み藁はゆったり花を刺しやすい硬さになっていることであるがそのために長さ15センチから20センチのエンビ管に二本切込を入れアルファベットのC型をした物を作り花瓶内部に挿入するそこに既に実用新案取得済みの十字の形状をしたステンレス製の羽根板の付いた立華芯固定金具を差込塩ビ管内部に差込み塩ビ管と花瓶との隙間に楔を差し込む事で塩ビ管は内側に縮小してステンレス製の芯固定金具を締め付けて花瓶と立華芯とを一体化させるが十字の金具とC型のエンビ管との間には十分な隙間があるために好みの硬さに込わらを入れることが出来る仕組みになり、更に芯の各所に取り付けられた活け筒の口の部分にステンレス製の亀の甲型をした金網を丸く整形させた物を装着する事で花材を無理に剣山に差すことなく必要な方向や角度に活ける事ができるようにし、更に上質の真が入手困難になってきたために人工樹の芯を使用する様な方が増えた問題に対して、芯の頂点に4ミリから6ミリの深さ3センチ程度の穴を垂直に開けそこに穴と同寸法の長さ6センチ程度の金属棒を打ち込みその上部に突き出た金属棒に同寸法の穴の空いた真を差し込む事で高野槙や桧葉、若松と行った人口樹の芯を簡単に脱着可能にした。
【考案の効果】
【０００５】
現状ではたてはなと言われる立華式仏華を活ける方はごく限られた人たちになっていたが、本考案を使用して頂ければ経験の浅い方でも楽しく美しく格調高く短時間に立華式仏華を活けることを可能にした。
【図面の簡単な説明】
【０００６】
【図１】金網付きの活け筒に花材を活けた図である。
【図２】金網付きの活け筒に花材を活けた右側面図である。
【図３】金網付きの活け筒に花材を活けた背面図である。
【図４】金網付きの活け筒に花材を活けた左側面図である。
【図５】活け筒に金網を取り付けた図である。
【図６】既に実用新案取得済みの芯固定金具を塩ビ管を用いて花瓶に固定した断面図である。
【図７】図６の右側面の断面図であり、真の固定方法を示す図である。
【図８】図６の背面の断面図である。
【図９】図６の左側面の断面図であり、真の固定方法を示す図である。
【図１０】立華芯を花瓶内に固定する斜視図である。
【考案を実施するための形態】
【０００７】
以下、本考案の実施の形態を図面を下に説明する。図１は、既に実用新案を取得済みの活け筒の口に金網を付けて花を生けやすくした図である。図２は、図１の右側面図である。図３は、図１の背面図である。図４は、図１の左側面図である。図５は、活け筒付き活け筒の口に金網を取り付けた図である。
図６は立華芯を花瓶に固定する断面図である。図７は、金網付きの活け筒で花に角度を付けて活けて図である。図８は、立華の役枝の一つ真を脱着可能にする為の金属芯の断面図である。図９は、本考案の左側面図である。図１０は、花瓶内に立華芯固定金具をいれアルファベットのC型をしたエンビ管を楔で占めている図である。
【産業上の利用可能性】
【０００８】
たてはなと言われる立華式仏華や広い会場で大きく花を活けるフラワーアート等の分野で活用が見込まれる。
【符号の説明】
【０００９】
１活け筒に金網を取り付けた図である。
２金網の付いた活け筒を使って角度を付けて花を活けた図である。
３活け筒に亀の甲型のステンレス金網を取り付けた図である。
４立華芯固定金具にC型の塩ビ管を取り付け楔で固定して花瓶と一体化させた図である。
５立華芯の頂上に立華の役枝の一つ真を固定する為に取り付けた真固定金具の図である。
６立華芯固定金具の周囲にC型の塩ビ管を取り付けて花瓶に挿入し楔で塩ビ管を占めて一体化した出ずである。
【図１】
0003194608.tif 000003
【図２】
0003194608.tif 000004
【図３】
0003194608.tif 000005
【図４】
0003194608.tif 000006
【図５】
0003194608.tif 000007
【図６】
0003194608.tif 000008
【図７】
0003194608.tif 000009
【図８】
0003194608.tif 000010
【図９】
0003194608.tif 000011
【図１０】
0003194608.tif 000012
【手続補正書】
【提出日】平成26年9月29日(2014.9.29)
【手続補正１】
【補正対象書類名】実用新案登録請求の範囲
【補正対象項目名】全文
【補正方法】変更
【補正の内容】
【実用新案登録請求の範囲】
【請求項１】
立華芯を花瓶内部に固定することを可能にした立華芯固定器具であって、前記立華芯固定器具はポリ塩化ビニルからなる長さ15センチから20センチの断面C型形状を有し、一対の前記立華芯固定器具を花瓶内に挿入し、立華芯の下端に形成された十字の羽根板の付いた立華芯固定金具を前記一対の立華芯固定金具の内部に挿入し、前記花瓶と前記立華芯固定器具を締め付けることで前記立華芯を前記花瓶内部に固定することを可能にしたことを特徴とする立華芯固定金具。